(57)【要約】【課題】従来コネクタハウジングに取り付けられていたレバーの代わりにコネクタ同士を嵌合させることができるコネクタ嵌合用治具を提供する。【解決手段】雌型のコネクタハウジング７０を有する第１コネクタ７と、雄型のコネクタハウジング８０を有する第２コネクタ８と、を嵌合させるコネクタ嵌合用治具１には、一端部２ａ，３ａ側にそれぞれ把持部２０，３０が設けられ、支軸１１によって互いに回転自在に取り付けられた一対のハンドル２，３と、一方のハンドル２の他端部２ｂから延設され、雌型のコネクタハウジング７０に引っ掛けられる引っ掛け部６１と、他方のハンドル３の他端部３ｂに連結され、引っ掛け部６１が雌型のコネクタハウジング７０に引っ掛けられた状態で一対の把持部２０，３０同士が互いに近付けられることにより、雄型のコネクタハウジング８０を雌型のコネクタハウジング７０側に押圧する押圧部５０と、が設けられている。【選択図】図１１
2011258324.tif 000002
【特許請求の範囲】
【請求項１】
雌型のコネクタハウジングを有する第１コネクタと、雄型のコネクタハウジングを有する第２コネクタと、を嵌合させるコネクタ嵌合用治具であって、
一端部側にそれぞれ把持部が設けられ、支軸によって互いに回転自在に取り付けられた一対のハンドルと、
一方の前記ハンドルの他端部から延設され、前記雌型のコネクタハウジングに引っ掛けられる引っ掛け部と、
他方の前記ハンドルの他端部に連結され、前記引っ掛け部が前記雌型のコネクタハウジングに引っ掛けられた状態で前記一対の把持部同士が互いに近付けられることにより、前記雄型のコネクタハウジングを前記雌型のコネクタハウジング側に押圧する押圧部と、が設けられている
ことを特徴とするコネクタ嵌合用治具。
【請求項２】
前記一方のハンドルが直線状に延びた棒状に形成され、当該一方のハンドルの長手方向と、前記押圧部が前記雄型のコネクタハウジングを押圧する方向と、が平行である
ことを特徴とする請求項１に記載のコネクタ嵌合用治具。
【請求項３】
前記雄型のコネクタハウジングの側壁から突出した突出部を押圧する前記押圧部が、前記雄型のコネクタハウジングの幅方向に沿って互いに相対して一対設けられ、
前記第２コネクタに接続された複数の電線を互いの間に位置付ける一対の噛み込み防止壁が、前記雄型のコネクタハウジングの幅方向に沿って互いに相対して設けられ、そして、
前記一対の押圧部間の間隔が、前記一対の噛み込み防止壁間の間隔よりも大きく形成されている
ことを特徴とする請求項１または請求項２に記載のコネクタ嵌合用治具。
【請求項４】
雌型のコネクタハウジングを有する第１コネクタと雄型のコネクタハウジングを有する第２コネクタとを、請求項１〜請求項３のいずれか１項に記載のコネクタ嵌合用治具を用いて嵌合させるコネクタの嵌合方法であって、
前記雄型のコネクタハウジングの一部を前記雌型のコネクタハウジング内に挿入し、前記引っ掛け部を前記雌型のコネクタハウジングの被引っ掛け部に引っ掛けて、前記一対の把持部同士を互いに近付けて前記押圧部で前記雄型のコネクタハウジングを前記雌型のコネクタハウジング側に押圧することにより、前記第１コネクタと前記第２コネクタとを嵌合させる
ことを特徴とするコネクタの嵌合方法。
【請求項５】
請求項４に記載の嵌合方法によって第１コネクタと第２コネクタとが嵌合されたことを特徴とするコネクタの嵌合構造。
【発明の詳細な説明】
【技術分野】
【０００１】
本発明は、コネクタ同士を嵌合させるコネクタ嵌合用治具、前記コネクタ嵌合用治具を用いたコネクタの嵌合方法、前記コネクタの嵌合方法を用いたコネクタの嵌合構造に関するものである。
【背景技術】
【０００２】
図１６は、従来のコネクタの嵌合構造を示す斜視図である。同図に示すコネクタの嵌合構造３００は、電気接続箱３０９に設けられた第１コネクタ３０７と、この第１コネクタ３０７に嵌合される第２コネクタ３０８との嵌合構造である。
【０００３】
上記電気接続箱３０９は、自動車に搭載され、電源からの電力を各種電子機器に分配したり、電子機器間の信号伝達を行ったりするためのものである。
【０００４】
上記第１コネクタ３０７は、電気接続箱３０９の基板に電気接続された複数の端子と、これら複数の端子を収容した雌型のコネクタハウジング３７０と、を有するコネクタである。
【０００５】
上記第２コネクタ３０８は、ワイヤハーネスの各電線３１０に電気接続された複数の端子と、これら複数の端子を収容した雄型のコネクタハウジング３８０と、雄型のコネクタハウジング３８０に回転自在に取り付けられたレバー３０１と、を有するコネクタである。
【０００６】
このようなコネクタの嵌合構造３００において、第１コネクタ３０７と第２コネクタ３０８とを嵌合させる際は、雄型のコネクタハウジング３８０の一部を雌型のコネクタハウジング３７０内に挿入し、レバー３０１の一端部を雌型のコネクタハウジング３７０に引っ掛けて、レバー３０１の他端部を雌型のコネクタハウジング３７０側に回動させることにより、第１コネクタ３０７と第２コネクタ３０８とを嵌合させる。また、前記レバー３０１は、回動されることにより雌型のコネクタハウジング３７０内に収容される。
【０００７】
このように、多極のコネクタ同士を嵌合させる際には、コネクタ同士の嵌合時の挿入力の軽減を図るため、また、コネクタ同士の半嵌合を防止するために、レバーを用いて嵌合させることがあった（例えば特許文献１を参照。）。
【先行技術文献】
【特許文献】
【０００８】
【特許文献１】特開２０１０−０７３４５７号公報
【発明の概要】
【発明が解決しようとする課題】
【０００９】
しかしながら、前述したコネクタの嵌合構造３００のように雄型のコネクタハウジング３８０にレバー３０１を取り付ける場合、以下に示す問題があった。即ち、レバー３０１の分だけ第２コネクタ３０８が大型化してしまい、この第２コネクタ３０８、即ち雄型のコネクタハウジング３８０及びレバー３０１、を収容する雌型のコネクタハウジング３７０もまた大型化してしまうという問題があった。また、レバー３０１を製造するための材料費や金型費等のコストがかかるという問題があった。また、レバー３０１を雄型のコネクタハウジング３８０に組み付ける作業を要するため、第２コネクタ３０８の製造におけるリードタイムが長くなってしまうという問題があった。さらに、前記自動車の廃車時には、資源リサイクルのためにレバー３０１を雄型のコネクタハウジング３８０から取り外さなければならず、分解作業に時間を要するという問題があった。
【００１０】
したがって、本発明は、従来コネクタハウジングに取り付けられていたレバーの代わりにコネクタ同士を嵌合させることができるコネクタ嵌合用治具、前記コネクタ嵌合用治具を用いたコネクタの嵌合方法、前記コネクタの嵌合方法を用いたコネクタの嵌合構造を提供することを目的とする。
【課題を解決するための手段】
【００１１】
上記目的を達成するために請求項１に記載された発明は、雌型のコネクタハウジングを有する第１コネクタと、雄型のコネクタハウジングを有する第２コネクタと、を嵌合させるコネクタ嵌合用治具であって、一端部側にそれぞれ把持部が設けられ、支軸によって互いに回転自在に取り付けられた一対のハンドルと、一方の前記ハンドルの他端部から延設され、前記雌型のコネクタハウジングに引っ掛けられる引っ掛け部と、他方の前記ハンドルの他端部に連結され、前記引っ掛け部が前記雌型のコネクタハウジングに引っ掛けられた状態で前記一対の把持部同士が互いに近付けられることにより、前記雄型のコネクタハウジングを前記雌型のコネクタハウジング側に押圧する押圧部と、が設けられていることを特徴とするコネクタ嵌合用治具である。
【００１２】
請求項２に記載された発明は、請求項１に記載された発明において、前記一方のハンドルが直線状に延びた棒状に形成され、当該一方のハンドルの長手方向と、前記押圧部が前記雄型のコネクタハウジングを押圧する方向と、が平行であることを特徴とするものである。
【００１３】
請求項３に記載された発明は、請求項１または請求項２に記載された発明において、前記雄型のコネクタハウジングの側壁から突出した突出部を押圧する前記押圧部が、前記雄型のコネクタハウジングの幅方向に沿って互いに相対して一対設けられ、前記第２コネクタに接続された複数の電線を互いの間に位置付ける一対の噛み込み防止壁が、前記雄型のコネクタハウジングの幅方向に沿って互いに相対して設けられ、そして、前記一対の押圧部間の間隔が、前記一対の噛み込み防止壁間の間隔よりも大きく形成されていることを特徴とするものである。
【００１４】
上記目的を達成するために請求項４に記載された発明は、雌型のコネクタハウジングを有する第１コネクタと雄型のコネクタハウジングを有する第２コネクタとを、請求項１〜請求項３のいずれか１項に記載のコネクタ嵌合用治具を用いて嵌合させるコネクタの嵌合方法であって、前記雄型のコネクタハウジングの一部を前記雌型のコネクタハウジング内に挿入し、前記引っ掛け部を前記雌型のコネクタハウジングの被引っ掛け部に引っ掛けて、前記一対の把持部同士を互いに近付けて前記押圧部で前記雄型のコネクタハウジングを前記雌型のコネクタハウジング側に押圧することにより、前記第１コネクタと前記第２コネクタとを嵌合させることを特徴とするコネクタの嵌合方法である。
【００１５】
上記目的を達成するために請求項５に記載された発明は、請求項４に記載の嵌合方法によって第１コネクタと第２コネクタとが嵌合されたことを特徴とするコネクタの嵌合構造である。
【発明の効果】
【００１６】
請求項１に記載された発明によれば、一端部側にそれぞれ把持部が設けられ、支軸によって互いに回転自在に取り付けられた一対のハンドルと、一方の前記ハンドルの他端部から延設され、前記雌型のコネクタハウジングに引っ掛けられる引っ掛け部と、他方の前記ハンドルの他端部に連結され、前記引っ掛け部が前記雌型のコネクタハウジングに引っ掛けられた状態で前記一対の把持部同士が互いに近付けられることにより、前記雄型のコネクタハウジングを前記雌型のコネクタハウジング側に押圧する押圧部と、が設けられているので、てこの原理により小さい力で確実に第１コネクタと第２コネクタとを嵌合させることができ、従来コネクタハウジングに取り付けられていたレバーの代わりに第１コネクタと第２コネクタとを嵌合させることができるコネクタ嵌合用治具を提供することができる。また、前記コネクタ嵌合用治具は何度でも使用することができるので、環境負荷低減を実現することができる。
【００１７】
請求項２に記載された発明によれば、前記一方のハンドルが直線状に延びた棒状に形成され、当該一方のハンドルの長手方向と、前記押圧部が前記雄型のコネクタハウジングを押圧する方向と、が平行であるので、前記雌型のコネクタハウジングの周囲に他部品等が配置されている場合でも、前記雌型のコネクタハウジングとの間に前記雄型のコネクタハウジングを位置付ける位置で前記一対の把持部を操作することができ、そのために、限られた作業スペースにおいても使用することができるコネクタ嵌合用治具を提供することができる。
【００１８】
請求項３に記載された発明によれば、前記雄型のコネクタハウジングの側壁から突出した突出部を押圧する前記押圧部が、前記雄型のコネクタハウジングの幅方向に沿って互いに相対して一対設けられ、前記第２コネクタに接続された複数の電線を互いの間に位置付ける一対の噛み込み防止壁が、前記雄型のコネクタハウジングの幅方向に沿って互いに相対して設けられ、そして、前記一対の押圧部間の間隔が、前記一対の噛み込み防止壁間の間隔よりも大きく形成されているので、前記押圧部が前記突出部を押圧する際に前記電線が噛み込まれることを防止できる。
【００１９】
請求項４に記載された発明によれば、前記雄型のコネクタハウジングの一部を前記雌型のコネクタハウジング内に挿入し、前記引っ掛け部を前記雌型のコネクタハウジングの被引っ掛け部に引っ掛けて、前記一対の把持部同士を互いに近付けて前記押圧部で前記雄型のコネクタハウジングを前記雌型のコネクタハウジング側に押圧することにより、前記第１コネクタと前記第２コネクタとを嵌合させるので、コネクタ嵌合用治具のてこの原理により小さい力で確実に第１コネクタと第２コネクタとを嵌合させることができる。また、コネクタ嵌合用治具を用いることにより、作業者の熟練度に関わらず一定の作業品質を保つことができる。
【００２０】
請求項５に記載された発明によれば、請求項４に記載の嵌合方法によって第１コネクタと第２コネクタとが嵌合されるので、従来コネクタハウジングに取り付けられていたレバーをなくすことができ、そのために、第１コネクタ及び第２コネクタの小型化、材料費及び製造費用の削減、第２コネクタの分解作業時間短縮による資源リサイクル性向上、を図ることができる。
【図面の簡単な説明】
【００２１】
【図１】本発明の一実施の形態にかかるコネクタ嵌合用治具を示す斜視図であり、一対の把持部同士が互いに離れた位置に位置付けられた状態を示す図である。
【図２】図１に示されたコネクタ嵌合用治具の上面図である。
【図３】図１に示されたコネクタ嵌合用治具の側面図である。
【図４】図１に示されたコネクタ嵌合用治具の正面図である。
【図５】図１に示されたコネクタ嵌合用治具の一対の把持部同士が互いに近付けられた状態を示す斜視図である。
【図６】図５に示されたコネクタ嵌合用治具の上面図である。
【図７】図５に示されたコネクタ嵌合用治具の側面図である。
【図８】図５に示されたコネクタ嵌合用治具の正面図である。
【図９】図１に示されたコネクタ嵌合用治具によって互いに嵌合される第１コネクタ及び第２コネクタを示す斜視図である。
【図１０】図９に示された第１コネクタ及び第２コネクタを示す斜視図である。
【図１１】図１に示されたコネクタ嵌合用治具の引っ掛け部が、図１０に示された第１コネクタの被引っ掛け部に引っ掛けられた状態を示す斜視図である。
【図１２】図１１中のＡ−Ａ線に沿った断面図である。
【図１３】図１１に示されたコネクタ嵌合用治具の押圧部が、図１１に示された第２コネクタを第１コネクタ側に押圧して、第１コネクタ及び第２コネクタが互いに嵌合された様子を示す斜視図である。
【図１４】図１３中のＢ−Ｂ線に沿った断面図である。
【図１５】図１３に示されたコネクタ嵌合用治具を他の方向から見た斜視図である。
【図１６】従来のコネクタの嵌合構造を示す斜視図であり、電気接続箱に設けられた第１コネクタと、この第１コネクタに嵌合されるレバー付きの第２コネクタとを示す図である。
【発明を実施するための形態】
【００２２】
本発明の一実施の形態にかかる「コネクタ嵌合用治具１」、前記コネクタ嵌合用治具１を用いた「コネクタの嵌合方法」、前記コネクタの嵌合方法を用いた「コネクタの嵌合構造１００」を図１〜図１５を参照して説明する。
【００２３】
上記「コネクタ嵌合用治具１」は、電気接続箱９に設けられた第１コネクタ７と、ワイヤハーネスの端末に設けられた第２コネクタ８と、を嵌合させるための治具である。即ち、上記「コネクタの嵌合方法」は、第１コネクタ７と第２コネクタ８とを、コネクタ嵌合用治具１を用いて嵌合させる方法である。また、上記「コネクタの嵌合構造１００」は、コネクタ嵌合用治具１を用いた嵌合方法によって互いに嵌合された第１コネクタ７と第２コネクタ８との嵌合構造である。
【００２４】
図９に示す上記電気接続箱９は、自動車に搭載され、電源からの電力を各種電子機器に分配したり、電子機器間の信号伝達を行ったりするためのものである。また、図１０〜図１５においては電気接続箱９の図示を省略している。
【００２５】
上記第１コネクタ７は、図９〜図１５に示すように、電気接続箱９のハウジング内に収容された基板に電気接続された複数の端子と、これら複数の端子を収容した雌型のコネクタハウジング７０と、を有するコネクタである。前記複数の端子は、雄型の接続部が設けられた雄型端子である。これら複数の端子は、雌型のコネクタハウジング７０にインサート成型された後、フローはんだ付けまたはリフローはんだ付けにより前記基板に電気接続されている。このため、雌型のコネクタハウジング７０は、前記フローはんだ付け時または前記リフローはんだ付け時の熱に耐え得る耐熱性樹脂により構成されている。また、図９〜図１５においては前記端子の図示を省略している。
【００２６】
上記雌型のコネクタハウジング７０は、図１０に示すように、長方形状の底壁と、底壁の外縁から立設した複数の側壁７１と、が設けられた箱形状に形成されている。また、前記端子は、前記底壁を貫通するように雌型のコネクタハウジング７０にインサート成型されている。
【００２７】
また、雌型のコネクタハウジング７０には、図１１に示すように、コネクタ嵌合用治具１の後述の引っ掛け部６１が引っ掛けられる一対の被引っ掛け部７２と、雄型のコネクタハウジング８０と係止する４つの係止アーム７３と、が設けられている。
【００２８】
上記一対の被引っ掛け部７２は、雌型のコネクタハウジング７０の幅方向、即ち図１１中の矢印Ｙ方向、に沿って互いに相対する一対の側壁７１の外表面からそれぞれ突出している。
【００２９】
上記４つの係止アーム７３は、図１０に示すように、雌型のコネクタハウジング７０の内側の四隅にそれぞれ配置されている。また、係止アーム７３は、片持ち板状のアーム部７４と、アーム部７４の先端に設けられた突起７５と、で構成されている。また、前記アーム部７４は、側壁７１にコ字状のスリットが切られることにより設けられており、側壁７１の一部をなしている。
【００３０】
さらに、コネクタの嵌合構造１００においては、２つの雌型のコネクタハウジング７０が、当該雌型のコネクタハウジング７０の長手方向に沿って並ぶ配置で、互いに一体成型されて設けられている。
【００３１】
上記第２コネクタ８は、図９〜図１５に示すように、前記ワイヤハーネスの各電線１０に電気接続された複数の端子と、これら複数の端子を収容した雄型のコネクタハウジング８０と、を有するコネクタである。前記複数の端子は、上述した第１コネクタ７の端子に設けられた雄型の接続部を収容可能な雌型の接続部が設けられた雌型端子である。
【００３２】
上記雄型のコネクタハウジング８０は、直方体形状に形成されている。また、雄型のコネクタハウジング８０には、図１０に示すように、コネクタ嵌合用治具１の後述の押圧部５０に押圧される突出部８２と、上述した雌型のコネクタハウジング７０の４つの係止アーム７３とそれぞれ係止する４つの係止突起８３と、が設けられている。
【００３３】
上記突出部８２は、雄型のコネクタハウジング８０の幅方向、即ち図１１中の矢印Ｙ方向、に沿って互いに対向する一対の側壁８１からそれぞれ円柱状に突出している。また、突出部８２は、各側壁８１に２つずつ設けられており、雄型のコネクタハウジング８０の長手方向に沿って並べられている。
【００３４】
上記４つの係止突起８３は、雄型のコネクタハウジング８０の幅方向、即ち図１１中の矢印Ｙ方向、に沿って互いに対向する一対の側壁８１からそれぞれ突出している。また、係止突起８３は、各側壁８１に２つずつ設けられている。
【００３５】
このような第１コネクタ７及び第２コネクタ８は、雄型のコネクタハウジング８０が雌型のコネクタハウジング７０の内側に、図１１中の矢印Ｘ方向に沿って挿入され、係止突起８３と係止アーム７３とが互いに係止することで、第１コネクタ７の端子に設けられた雄型の接続部が第２コネクタ８の端子に設けられた雌型の接続部の内側に挿入されて互いに電気接続される。
【００３６】
また、本発明では、雄型のコネクタハウジング８０が雌型のコネクタハウジング７０の内側に挿入されて係止突起８３と係止アーム７３とが互いに係止することを、「第１コネクタ７と第２コネクタ８とが嵌合する」と定義する。
【００３７】
上記コネクタ嵌合用治具１には、図１〜図８に示すように、一端部２ａ，３ａ側にそれぞれ把持部２０，３０が設けられ、支軸１１によって互いに回転自在に取り付けられた一対のハンドル２，３と、一対の把持部２０，３０を互いに離れる方向に付勢したバネ４と、一方のハンドル２の他端部２ｂから延設された固定部６と、他方のハンドル３の他端部３ｂに連結された移動部５と、が設けられている。
【００３８】
上記一方のハンドル２は、直線状に延びた棒状に形成されている。上記他方のハンドル３は、中央部３ｃが屈曲されたく字状に形成されている。また、前記支軸１１は、一方のハンドル２の他端部２ｂ側の部分、及び、他方のハンドル３の屈曲した中央部３ｃよりも他端部３ｂ側の部分に取り付けられている。また、上記把持部２０，３０は、作業者が握る部分である。また、ハンドル２，３には、バネ４の両端部をそれぞれ取り付けるバネ取付部２１，３１が設けられている。
【００３９】
上記固定部６には、図１１，図１２に示すように、一方のハンドル２の他端部２ｂに連なった板状の板部６２と、この板部６２の矢印Ｙ方向に沿った両端部からハンドル２と反対側に、即ち矢印Ｘ方向に、立設した一対の噛み込み防止壁６０と、一対の噛み込み防止壁６０の板部６２から離れた端部各々から延設された一対の引っ掛け部６１と、が設けられている。
【００４０】
上記板部６２には、移動部５を通す貫通穴６５が設けられている。
【００４１】
上記一対の噛み込み防止壁６０は、図１１に示すように、雄型のコネクタハウジング８０の幅方向、即ち矢印Ｙ方向、に沿って互いに相対して設けられている。これら一対の噛み込み防止壁６０は、第２コネクタ８の各端子に電気接続された複数の電線１０を互いの間に位置付ける。また、図４〜図８に示すように、一対の噛み込み防止壁６０には、互いに相対する面６０ａそれぞれから凹に形成されるとともに矢印Ｘ方向に延びた一対の凹溝６３と、各凹溝６３の底からさらに凹に形成されて面６０ａの反対側に貫通した一対の切り欠き溝６４と、が設けられている。
【００４２】
上記一対の引っ掛け部６１は、Ｌ字状に形成されており、図１１，図１３，図１５に示すように、雌型のコネクタハウジング７０の一対の被引っ掛け部７２にそれぞれ引っ掛けられる。
【００４３】
上記移動部５には、支軸１２によって他方のハンドル３の他端部３ｂに回転自在に連結された連結部５２と、連結部５２に連なり矢印Ｙ方向に板状に延びた第２連結部５１と、雄型のコネクタハウジング８０を雌型のコネクタハウジング７０側に押圧する一対の押圧部５０と、が設けられている。
【００４４】
上記一対の押圧部５０には、図１２に示すように、第２連結部５１の矢印Ｙ方向の両端部から連結部５２と反対側に立設した一対の伝達アーム５３と、一対の伝達アーム５３の第２連結部５１から離れた端部各々から互いに離れる側に凸に形成された一対のスライド部５４と、支軸１３によって一対のスライド部５４各々に回転自在に連結された一対の当接部５５と、が設けられている。
【００４５】
上記一対の伝達アーム５３は、上述した板部６２の貫通穴６５を通されている。これら一対の伝達アーム５３は、図３，図７に示すように、把持部３０が把持部２０に近付けられることにより、矢印Ｘ方向とほぼ等しい方向に移動し、把持部３０が把持部２０から離されることにより、矢印Ｘ方向とほぼ逆方向に移動する。
【００４６】
上記一対のスライド部５４は、一対の伝達アーム５３に連動して、上述した一対の切り欠き溝６４内を矢印Ｘ方向及びその逆方向に移動する。また、前記切り欠き溝６４は、その幅がスライド部５４の幅よりも若干大きい幅に形成され、矢印Ｘ方向に沿って延びている。即ち、一対の切り欠き溝６４は、一対の押圧部５０の移動を規制するものである。
【００４７】
上記一対の当接部５５は、正方形の板状に形成されている。これら一対の当接部５５は、一対の引っ掛け部６１が雌型のコネクタハウジング７０の一対の被引っ掛け部７２に引っ掛けられた状態で把持部３０が把持部２０に近付けられることにより、図１４に示すように、その外縁が、雄型のコネクタハウジング８０の突出部８２の外周面に当接するとともに該突出部８２を雌型のコネクタハウジング７０側に押圧する。また、上述したように、当接部５５は、支軸１３によってスライド部５４に回転自在に連結されているので、必ず２つの突出部８２に当接することとなる。
【００４８】
また、本発明では、一方のハンドル２の長手方向と、押圧部５０が雄型のコネクタハウジング８０を押圧する方向と、が平行になるようにコネクタ嵌合用治具１を形成している。このように形成しているので、雌型のコネクタハウジング７０の周囲に他部品等が配置されている場合でも（本実施形態では、雌型のコネクタハウジング７０の隣に他の雌型のコネクタハウジング７０が配置されている。）、雌型のコネクタハウジング７０との間に雄型のコネクタハウジング８０を位置付ける位置で一対の把持部２０，３０を操作することができ、限られた作業スペースにおいても該コネクタ嵌合用治具１を使用することができる。
【００４９】
また、本発明では、図４に示すように、雄型のコネクタハウジング８０の幅方向、即ち矢印Ｙ方向、に沿って互いに相対する一対の押圧部５０間の間隔ｍ１が、雄型のコネクタハウジング８０の幅方向、即ち矢印Ｙ方向、に沿って互いに相対する一対の噛み込み防止壁６０間の間隔ｍ２よりも大きく形成されている。また、前記「一対の押圧部５０間の間隔ｍ１」とは、一対の当接部５５間の間隔を言う。また、前記「一対の噛み込み防止壁６０間の間隔ｍ２」とは、一対の噛み込み防止壁６０の互いに相対する面６０ａ間の間隔を言う。
【００５０】
即ち、本発明では、一対の押圧部５０が移動する際に、第２コネクタ８に接続された複数の電線１０を噛み込むことがないように、これら電線１０を一対の噛み込み防止壁６０間に位置付けて、雄型のコネクタハウジング８０の幅方向の中央に電線１０を寄せるようにしている。さらに、一対の当接部５５を一対の噛み込み防止壁６０の一対の凹溝６３内に配置して、一対の当接部５５が一対の噛み込み防止壁６０の互いに相対する面６０ａよりも突出しないようにすることで、前記電線１０を噛み込むことがないようにしている。このような目的の結果として、一対の押圧部５０間の間隔ｍ１が、一対の噛み込み防止壁６０間の間隔ｍ２よりも大きい構成となっている。
【００５１】
続いて、上述したコネクタ嵌合用治具１を用いて第１コネクタ７と第２コネクタ８とを嵌合させるコネクタの嵌合方法を説明する。
【００５２】
まず、図１０〜図１２に示すように、雄型のコネクタハウジング８０の一部を雌型のコネクタハウジング７０内に挿入して、一対の引っ掛け部６１を一対の被引っ掛け部７２に引っ掛ける。また、この際、第２コネクタ８に接続された複数の電線１０を一対の噛み込み防止壁６０間に位置付ける。
【００５３】
そして、把持部３０が把持部２０に近付くように、一対の把持部２０，３０を同時に握る。このことにより、図１３〜図１５に示すように、一対の押圧部５０の各当接部５５が、雄型のコネクタハウジング８０の各突出部８２を雌型のコネクタハウジング７０側に押圧して、第１コネクタ７と第２コネクタ８とが嵌合する。
【００５４】
このように、本発明のコネクタの嵌合方法によれば、コネクタ嵌合用治具１のてこの原理により小さい力で確実に第１コネクタ７と第２コネクタ８とを嵌合させることができる。また、コネクタ嵌合用治具１を用いることにより、作業者の熟練度に関わらず一定の作業品質を保つことができる。
【００５５】
また、上述した嵌合方法によって第１コネクタ７と第２コネクタ８とが嵌合されたコネクタの嵌合構造１００においては、従来コネクタハウジングに取り付けられていたレバー（図１６を参照。）をなくすことができる。よって、レバーをなくした分だけ第１コネクタ７及び第２コネクタ８の小型化を図ることができる。また、第１コネクタ７及び第２コネクタ８を小型化するかわりに端子数を増やすこともできる。また、レバーをなくしたことにより、レバー自体の材料費及び製造費用の削減を図ることができるとともに、雌型のコネクタハウジング７０の小型化による材料費削減を図ることができる。特に、雌型のコネクタハウジング７０は高価な耐熱性樹脂により構成されているので、その小型化によるコストダウン効果は大きい。さらに、レバーをなくしたことにより、前記自動車の廃車時における第２コネクタ８の分解作業時間を短縮することができ、資源リサイクル性向上を図ることができる。
【００５６】
また、コネクタ嵌合用治具１は何度でも使用することができるので、環境負荷低減を実現することができる。
【００５７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５８】
１  コネクタ嵌合用治具
２，３  ハンドル
７  第１コネクタ
８  第２コネクタ
１１  支軸
２０，３０  把持部
５０  押圧部
６０  噛み込み防止壁
６１  引っ掛け部
７０  雌型のコネクタハウジング
７２  被引っ掛け部
８０  雄型のコネクタハウジング
８２  突出部
１００  コネクタの嵌合構造
【図１】
2011258324.tif 000003
【図２】
2011258324.tif 000004
【図３】
2011258324.tif 000005
【図４】
2011258324.tif 000006
【図５】
2011258324.tif 000007
【図６】
2011258324.tif 000008
【図７】
2011258324.tif 000009
【図８】
2011258324.tif 000010
【図９】
2011258324.tif 000011
【図１０】
2011258324.tif 000012
【図１１】
2011258324.tif 000013
【図１２】
2011258324.tif 000014
【図１３】
2011258324.tif 000015
【図１４】
2011258324.tif 000016
【図１５】
2011258324.tif 000017
【図１６】
2011258324.tif 000018